(57)【特許請求の範囲】
【請求項１】
無線通信システムとの無線通信を行う携帯端末機であって、
現在無線通信を行っている無線通信システムから送信される無線信号の第１の受信品質レベルを所定の周期で測定する測定部と、
前回測定した前記第１の受信品質レベルと今回測定した前記第１の受信品質レベルとの差に基づいて、減衰量を算出する減衰量算出部と、
算出した前記減衰量が所定の条件を満たした場合、前記減衰量の大きさに基づくレベルを、前記今回測定した第１の受信品質レベルから減算することによって、前記今回測定した第１の受信品質レベルを、当該第１の受信品質レベルよりも小さい第２の受信品質レベルに変換する変換処理部と、
変換した前記第２の受信品質レベルを前記無線通信システムへ通知する通知部と
を具備することを特徴とする携帯端末機。
【請求項２】
前記変換処理部は、前記減衰量が所定の減衰量以上である場合のみ、前記今回測定した第１の受信品質レベルを、前記第２の受信品質レベルに変換することを特徴とする請求項１に記載の携帯端末機。
【請求項３】
前記変換処理部は、今回測定された前記第１の受信品質レベルが、所定の受信品質レベル以下の場合のみ、前記第２ の受信品質に変換することを特徴とする請求項２に記載の携帯端末機。
【請求項４】
前記変換処理部は、今回測定した前記第１の受信品質レベルから所定のレベルを減算することによって、前記今回測定した前記第１の受信品質レベルを前記第２の受信品質レベルに変換することを特徴とする請求項３に記載の携帯端末機。
【請求項５】
前記通知部は、前記今回測定した第１の受信品質レベル又は前記第２の受信品質レベルを前記無線通信システムへ通知することを特徴とする請求項１に記載の携帯端末機。
【請求項６】
前記通知部は、前記今回測定した第１の受信品質レベル又は前記第２ の受信品質レベルが、特定の受信品質レベル以下に低下した時、前記第１の受信品質レベル又は前記第２の受信品質レベルが前記特定の受信品質レベル以下であることを前記無線通信システムへ通知することを特徴とする請求項１に記載の携帯端末機。
【請求項７】
前記測定部は、一定の期間内に、所定の周期で測定された無線信号の受信品質レベルに基づいて、所定の算出方法で第１の受信品質レベルを算出することを特徴とする請求項１に記載の携帯端末機。
【請求項８】
携帯端末機が、現在無線通信を行っている無線通信システムから送信される無線信号の第１の受信品質レベルを所定の周期で測定する測定ステップと、
前回測定した前記第１の受信品質レベルと今回測定した前記第１の受信品質レベルとの差に基づいて、減衰量を算出する減衰量算出ステップと、
算出した前記減衰量が所定の減衰量以上である場合、前記減衰量の大きさに基づくレベルを、前記今回測定した第１の受信品質レベルから減算することによって、前記今回測定した前記第１受信品質レベルを、当該第１の受信品質レベルよりも小さい第２の受信品質レベルに変換する変換処理ステップと、
今回測定した前記第１の受信品質レベル又は前記第２の受信品質レベルを前記無線通信システムへ通知する通知ステップと、
前記無線通信システムが、通知された前記第１の受信品質レベル又は前記第２の受信品質レベルが所定の受信品質レベル以下である場合、前記携帯端末機に対して、前記無線通信システムから他の無線通信システムへ無線通信先を切り替えるシステム間ハンドオーバ処理を行うように指示する指示ステップと、
前記携帯端末機が、前記指示ステップの指示に基づいて、前記システム間ハンドオーバ処理を行うハンドオーバステップとを具備することを特徴とする通信方法。
【請求項９】
携帯端末機が、現在無線通信を行っている無線通信システムから送信される無線信号の第１の受信品質レベルを所定の周期で測定する測定ステップと、
前回測定した前記第１の受信品質レベルと今回測定した前記第１の受信品質レベルとの差に基づいて、減衰量を算出する減衰量算出ステップと、
算出した前記減衰量が所定の減衰量以上である場合、前記減衰量の大きさに基づくレベルを、前記今回測定した第１の受信品質レベルから減算することによって、前記今回測定した前記第１受信品質レベルを、当該第１の受信品質レベルよりも小さい第２の受信品質レベルに変換する変換処理ステップと、
前記第１の受信品質レベル又は前記第２の受信品質レベルが、特定の受信品質レベル以下に低下した時、前記第１の受信品質レベル又は前記第２の受信品質レベルが前記特定の受信品質レベル以下であることを前記無線通信システムへ通知する通知ステップと、
前記無線通信システムが、前記通知ステップの通知に基づいて、前記携帯端末機に対して、前記無線通信システムから他の無線通信システムへ無線通信先を切り替えるシステム間ハンドオーバ処理を行うように指示する指示ステップと、
前記携帯端末機が、前記指示ステップの指示に基づいて、前記システム間ハンドオーバ処理を行うハンドオーバステップとを具備することを特徴とする通信方法。
【発明の詳細な説明】
【技術分野】
【０００１】
本発明は、無線通信システムとの無線通信を行う携帯端末機及び通信方法に関する。
【背景技術】
【０００２】
現在、無線通信システムには、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ｃｄｍａＯｎｅ、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）等の複数種類の無線通信システムが、混在している。
【０００３】
これらの無線通信システムは、システム毎に別々の周波数を用いており、また、携帯端末機との間において、別々の通信方式で無線通信を行っている。
【０００４】
また、近年では、上述した複数種類の無線通信システムとの無線通信が可能な携帯端末機も普及してきている。
【０００５】
かかる携帯端末機は、現在無線通信を行っている無線通信システム（以下、現システム）から送信される無線信号の受信品質レベルを一定期間毎に測定し、測定結果を現システムへ通知するように構成されている。
【０００６】
そして、かかる携帯端末機は、当該受信品質レベルが低下した場合、現システムからの指示に基づいて、他の無線通信システム（以下、他システム）へ無線通信先を切り替えるシステム間ハンドオーバ処理を行うように構成されている。
【０００７】
図９乃至１０を参照し、システム間ハンドオーバ処理について説明する。図９の例には、携帯端末機１０が、地点Ａから、地点Ｂを介して、地点Ｃへ移動するイメージが示されている。
【０００８】
図９に示す現システム２００は、携帯端末機１０が現在無線通信を行っている無線通信システムである。また、他システム３００は、現システム２００とは異なる他の無線通信システムである。
【０００９】
現システム２００は、基地局２０と、無線制御装置２と、ネットワーク１とを具備している。また、他システム３００は、基地局３０と、無線制御装置３と、ネットワーク１とを具備している。また、かかるネットワーク１は、現システム２００と他システム３００との間で共有するように構成されている。
【００１０】
また、現システム２００では、測定レベルＱｍと、当該測定レベルＱｍよりも低いレベルのハンドオーバレベルＱｈｏとが予め設定されている。
【００１１】
現システム２００は、携帯端末機１０で測定される無線信号の受信品質レベルが、測定レベルＱｍ以下に低下した場合、携帯端末機１０に対して、他システム３００の無線信号の測定開始を指示するように構成されている。
【００１２】
そして、現システム２００は、携帯端末機１０で測定される受信品質レベルが、ハンドオーバレベルＱｈｏ以下に低下した場合、携帯端末機１０に対して、他システム３００へ無線通信先を切り替えるシステム間ハンドオーバ処理の開始を指示するように構成されている。
【００１３】
ここで、携帯端末機１０で測定された受信品質レベルを現システム２００へ通知する方法には、定期通知方式と閾値通知方式との２種類が存在する。
【００１４】
定期通知方式としては、例えば、Ｐｅｒｉｏｄｉｃ方式が知られている。Ｐｅｒｉｏｄｉｃ方式の携帯端末機１０は、測定する受信品質レベルを一定期間毎に現システム２００へ通知するように構成されている。
【００１５】
また、閾値通知方式としては、例えば、Ｅｖｅｎｔ  Ｔｒｉｇｇｅｒ方式が知られている。Ｅｖｅｎｔ  Ｔｒｉｇｇｅｒ方式の携帯端末機１０は、予め現システム２００から通知された測定レベルＱｍ又はハンドオーバレベルＱｈｏに基づいて、測定した受信品質レベルが、測定レベルＱｍ又はハンドオーバレベルＱｈｏ以下に低下した時のみ、現システム２００へ受信品質レベルを通知するように構成されている。
【００１６】
図１０には、携帯端末機１０が、図９における地点Ａから地点Ｃへ移動する際に、携帯端末機１０で測定される無線信号の受信品質レベルが示されている。
【００１７】
図１０に示す受信品質レベルＱ２ａは、現システム２００から送信された無線信号の受信品質レベルを携帯端末機１０で測定した結果である。
【００１８】
また、受信品質レベルＱ３ａは、他システム３００から送信される無線信号の受信品質レベルを携帯端末機１０で測定した結果である。
【００１９】
図１０に示す最低受信品質レベルＱｌは、携帯端末機１０において、現システム２００と無線通信を行うことが可能な最低の受信品質レベルである。
【００２０】
具体的に、図１０を参照し、携帯端末機１０における受信品質レベルの変化と、システム間ハンドオーバ処理を開始する動作とについて説明する。
【００２１】
なお、携帯端末機１０で測定された受信品質レベルを現システム２００へ通知する方法は、定期通知方式（例えば、Ｐｅｒｉｏｄｉｃ方式）である場合を例に説明する。
【００２２】
図１０のＴ０において、携帯端末機１０は、図９の地点Ａで現システム２００の基地局２０との間で音声等の無線通信を行っている。また、携帯端末機１０は、基地局２０から送信される無線信号の受信品質レベルＱ２ａの測定を行い、測定結果を現システム２００へ通知している。
【００２３】
そして、携帯端末機１０は、地点Ａよりも受信品質レベルの低い地点Ｂに向かって移動し始め、図１０におけるＴｍ１の時、測定する受信品質レベルＱ２ａが測定レベルＱｍに低下する。
【００２４】
そして、携帯端末機１０は、測定結果として測定レベルＱｍの受信品質レベルＱ２ａを、基地局２０を介して無線制御装置２へ通知する。
【００２５】
この通知を受けた無線制御装置２は、携帯端末機１０の受信品質レベルＱ２ａが、測定レベルＱｍ以下になったことを判定する。
【００２６】
そして、無線制御装置２は、他システム３００の基地局３０から送信される無線信号の受信品質レベルＱ３ａの測定を開始するように、携帯端末機１０に対して指示する。指示を受けた携帯端末機１０は、当該受信品質レベルＱ３ａの測定を開始する。
【００２７】
図１０におけるＴｈ１の時、携帯端末機１０は、図９の地点Ｂに存在し、測定する受信品質レベルＱ２ａが、ハンドオーバレベルＱｈｏに低下する。
【００２８】
そして、携帯端末機１０は、測定結果として、ハンドオーバレベルＱｈｏの受信品質レベルＱ２ａを、基地局２０を介して無線制御装置２へ通知する。
【００２９】
この通知を受けた無線制御装置２は、携帯端末機１０の受信品質レベルＱ２ａが、ハンドオーバレベルＱｈｏ以下になったことを判定する。
【００３０】
そして、無線制御装置２は、ネットワーク１を介し、他システム３００の無線制御装置３へ、携帯端末機１０と通信するように指示する。
【００３１】
指示を受けた無線制御装置３は、基地局３０に対して、携帯端末機１０と無線通信を行うように指示する。
【００３２】
また、無線制御装置２は、携帯端末機１０に対して、無線通信先を現システム２００の基地局２０から他システム３００の基地局３０へ切り替えるシステム間ハンドオーバ処理を開始するように指示する。
【００３３】
指示を受けた携帯端末機１０は、システム間ハンドオーバ処理を開始し、Ｔｈ１から処理の期間Ｔｈｏが経過したＴｃ１の時、当該システム間ハンドオーバ処理を完了して、他システム３００の基地局３０と無線通信を開始する。
【００３４】
上述するシステム間ハンドオーバ処理によって、携帯端末機１０は、現システム２００との無線通信が可能な無線範囲（セル）外に移動しても、他システム３００との無線通信が可能な無線範囲（セル）内であれば、遮断することなく音声等の無線通信を継続して行うことができる。
【００３５】
よって、携帯端末機１０は、現システム２００と他システム３００との両方にわたる広い範囲で無線通信を行うこと可能になる。
【００３６】
具体的な例として、現システム２００が、Ｗ−ＣＤＭＡの通信方式による無線通信システムである場合、当該現システム２００は、無線信号に高周波数帯域を使用しているため、周波数特性から無線範囲（セル）が狭く、また、通信サービスの開始された時期が新しいので、無線通信が可能なサービスエリアは広くない場合がある。
【００３７】
かかる場合、携帯端末機１０は、当該現システム２００との無線通信が可能な無線範囲外において、例えば、現システムよりも低い周波数帯域を使用し無線範囲（セル）が広く、また、通信サービスの開始された時期が古くサービスエリアが広いＧＳＭ等の通信方式による他システム３００を使用することで、広範囲にわたり連続して無線通信を行うことが可能になる。
【特許文献１】特開２００３−２３５０６４号公報
【発明の開示】
【発明が解決しようとする課題】
【００３８】
しかしながら、上述したシステム間ハンドオーバ処理は、現システム２００の通信方式から他システム３００の通信方式へ設定変更を行うため、同じ現システム２００内のハンドオーバ処理と比べ、処理時間が長い。
【００３９】
よって、携帯端末機１０は、上述したシステム間ハンドオーバ処理を完了できず、無線通信が遮断される場合があった。
【００４０】
具体的に、図９及び図１１のグラフを参照し、携帯端末機１０においてシステム間ハンドオーバ処理が完了されず、無線通信が遮断する場合について説明する。
【００４１】
図１１のグラフには、携帯端末機１０が、図９における地点Ａから地点Ｃへ高速で移動する際に、携帯端末機１０で測定される無線信号の受信品質レベルＱ２ｂが示されている。
【００４２】
現システム２００と無線通信を行っている携帯端末機１０は、図１１におけるＴｄ１の時、図９の地点Ａから地点Ｂへ高速で移動し始め、携帯端末機１０で測定される現システム２００の受信品質レベルＱ２ｂが急激に低下し始める。
【００４３】
図１１におけるＴｍ２の時、携帯端末機１０で測定される受信品質レベルＱ２ｂが、測定レベルＱｍに低下する。この時、携帯端末機１０は、無線制御装置２からの指示に基づいて、当該基地局３０からの無線信号の受信品質レベルＱ３ａの測定を開始する。
【００４４】
図１１におけるＴｈ２の時、携帯端末機１０は、測定する受信品質レベルＱ２ａが、ハンドオーバレベルＱｈｏに低下し、無線制御装置２からの指示に基づいて、他システム３００へのシステム間ハンドオーバ処理を開始する。
【００４５】
しかし、当該システム間ハンドオーバ処理が完了する前のＴｌ２の時、携帯端末機１０では、受信品質レベルＱ２ｂが、無線通信を行えない最低受信品質レベルＱｌへ急激に低下し、現システム２００との無線通信が遮断される。
【００４６】
上述するように、携帯端末機１０では、無線通信を行っている現システム２００から送信される無線信号の受信品質レベルＱ２ａが、急激に低下する場合、システム間ハンドオーバ処理を開始してから、受信品質レベルＱ２ｂが最低受信品質レベルＱｌまで低下する期間ΔＴｈｏが、システム間ハンドオーバ処理に最低必要な期間Ｔｈｏよりも短くなる場合があった。
【００４７】
よって、携帯端末機１０では、他システム３００との無線通信が可能な無線範囲（セル）に存在していても、システム間ハンドオーバ処理を完了できず、無線通信が遮断される場合があった。
【００４８】
そこで、本発明は以上の点に鑑みてなされたもので、携帯端末機１０のシステム間ハンドオーバ処理において、無線通信の遮断を低減する携帯端末機及び通信方法を提供することを目的とする。
【課題を解決するための手段】
【００４９】
本発明の第１の特徴は、無線通信システムとの無線通信を行う携帯端末機であって、現在無線通信を行っている無線通信システムから送信される無線信号の第１の受信品質レベルを所定の周期で測定する測定部と、前回測定した前記第１の受信品質レベルと今回測定した前記第１の受信品質レベルとの差に基づいて、減衰量を算出する減衰量算出部と、算出した前記減衰量が所定の条件を満たした場合、前記減衰量の大きさに基づくレベルを、前記今回測定した第１の受信品質レベルから減算することによって、前記今回測定した第１の受信品質レベルを、当該第１の受信品質レベルよりも小さい第２の受信品質レベルに変換する変換処理部と、変換した前記第２の受信品質レベルを前記無線通信システムへ通知する通知部とを具備することを要旨とするものである。
【００５０】
かかる発明によれば、第１の受信品質レベルの減衰量に基づいて、現在無線通信を行っている現システム２００に対して、第１の受信品質レベルではなく第２の受信品質レベルを通知することができる。
【００５１】
また、かかる発明によれば、第１の受信品質レベルよりも小さい第２の受信品質レベルを現システムへ通知するので、現システムとは異なる無線通信システムである他システム３００から送信される無線信号の測定を早く開始することができ、また、システム間ハンドオーバ処理も早く開始することができるので、システム間ハンドオーバ処理の期間を長く確保できる。
【００５２】
したがって、本発明に係る携帯端末機１０によれば、現システム２００から他システム３００へ無線通信先を切り替えるシステム間ハンドオーバ処理において、処理期間の不足によって音声等の無線通信が遮断されることを低減できる。
【００５３】
また、本発明第１の特徴において、前記通知部は、前記今回測定した第１の受信品質レベル又は前記第２の受信品質レベルを前記無線通信システムへ通知してもよい。
【００５４】
また、本発明第１の特徴において、前記通知部は、前記今回測定した第１の受信品質レベル又は前記第２の受信品質レベルが、特定の受信品質レベル以下に低下した時、前記第１の受信品質レベル又は前記第２の受信品質レベルが前記特定の受信品質レベル以下であることを前記無線通信システムへ通知してもよい。
【００５５】
かかる発明によれば、特定の受信品質レベル以下に低下した時のみ無線通信システムへ通知する閾値通知方式（例えば、Ｅｖｅｎｔ  Ｔｒｉｇｇｅｒ方式）においても、他システム３００から送信される無線信号の測定を早く開始することができ、また、システム間ハンドオーバ処理も早く開始することができるので、システム間ハンドオーバ処理の期間を長く確保できる。
【００５６】
また、本発明第１の特徴において、前記測定部は、一定の期間内に、所定の周期で測定された無線信号の受信品質レベルに基づいて、所定の算出方法で第１の受信品質レベルを算出してもよい。
【００５７】
かかる発明によれば、携帯端末機１０において、例えば、平均化等の所定の算出方法で、精度のよい第１の受信品質レベルを算出することができる。
【００５８】
また、本発明の第２の特徴は、本発明の第１の特徴において、前記変換処理部は、前記減衰量が所定の減衰量以上である場合のみ、前記今回測定した第１の受信品質レベルを、前記第２の受信品質レベルに変換してもよい。
【００５９】
また、本発明の第３の特徴は、本発明第２の特徴において、前記変換処理部は、今回測定された前記第１の受信品質レベルが、所定の受信品質レベル以下の場合のみ、前記第２の受信品質に変換してもよい。
【００６０】
かかる発明によれば、携帯端末機１０において、第１の受信品質レベルが、例えば、低い受信品質レベル以下になる場合に限定して第２の受信品質レベルに変換し、他システム３００から送信される無線信号の測定を早く開始することができ、また、システム間ハンドオーバ処理も早く開始することができるので、システム間ハンドオーバ処理の期間を長く確保できる。
【００６１】
また、本発明の第４の特徴は、本発明第３の特徴において、前記変換処理部は、今回測定した前記第１の受信品質レベルから所定のレベルを減算することによって、前記今回測定した前記第１の受信品質レベルを前記第２の受信品質レベルに変換してもよい。
【００６３】
また、本発明の第５の特徴は、携帯端末機が、現在無線通信を行っている無線通信システムから送信される無線信号の第１の受信品質レベルを所定の周期で測定する測定ステップと、前回測定した前記第１の受信品質レベルと今回測定した前記第１の受信品質レベルとの差に基づいて、減衰量を算出する減衰量算出ステップと、算出した前記減衰量が所定の減衰量以上である場合、前記減衰量の大きさに基づくレベルを、前記今回測定した第１の受信品質レベルから減算することによって、前記今回測定した前記第１受信品質レベルを、当該第１の受信品質レベルよりも小さい第２の受信品質レベルに変換する変換処理ステップと、今回測定した前記第１の受信品質レベル又は前記第２の受信品質レベルを前記無線通信システムへ通知する通知ステップと、前記無線通信システムが、通知された前記第１の受信品質レベル又は前記第２の受信品質レベルが所定の受信品質レベル以下である場合、前記携帯端末機に対して、前記無線通信システムから他の無線通信システムへ無線通信先を切り替えるシステム間ハンドオーバ処理を行うように指示する指示ステップと、前記携帯端末機が、前記指示ステップの指示に基づいて、前記システム間ハンドオーバ処理を行うハンドオーバステップとを通信方法が含むことを要旨とするものである。
【００６４】
また、本発明の第６の特徴は、携帯端末機が、現在無線通信を行っている無線通信システムから送信される無線信号の第１の受信品質レベルを所定の周期で測定する測定ステップと、前回測定した前記第１の受信品質レベルと今回測定した前記第１の受信品質レベルとの差に基づいて、減衰量を算出する減衰量算出ステップと、算出した前記減衰量が所定の減衰量以上である場合、前記減衰量の大きさに基づくレベルを、前記今回測定した第１の受信品質レベルから減算することによって、前記今回測定した前記第１受信品質レベルを、当該第１の受信品質レベルよりも小さい第２の受信品質レベルに変換する変換処理ステップと、前記第１の受信品質レベル又は前記第２の受信品質レベルが、特定の受信品質レベル以下に低下した時、前記第１の受信品質レベル又は前記第２の受信品質レベルが前記特定の受信品質レベル以下であることを前記無線通信システムへ通知する通知ステップと、前記無線通信システムが、前記通知ステップの通知に基づいて、前記携帯端末機に対して、前記無線通信システムから他の無線通信システムへ無線通信先を切り替えるシステム間ハンドオーバ処理を行うように指示する指示ステップと、前記携帯端末機が、前記指示ステップの指示に基づいて、前記システム間ハンドオーバ処理を行うハンドオーバステップとを通信方法が含むことを要旨とするものである。
【発明の効果】
【００６５】
以上説明したように、本発明によれば、システム間ハンドオーバ処理において、無線通信の遮断を低減する携帯端末機及び通信方法を提供することを目的とする。
【発明を実施するための最良の形態】
【００６６】
（本発明の第１実施形態に係る携帯端末機の構成）
本発明の第１実施形態に係る無線通信システム及び携帯端末機１０の構成について、図１及び図９を参照して説明する。
【００６７】
図９に示すように、携帯端末機１０と現在無線通信を行っている無線通信システム（以下、現システム２００）は、基地局２０と、無線制御装置２とネットワーク１とを具備している。また、上記した現システム２００とは異なる他の無線通信システム（以下、他システム３００）は、基地局３０と、無線制御装置３と、ネットワーク１とを具備している。ここで、現システム２００及び他システム３００は、上述したネットワーク１を共有するように構成されている。
【００６８】
また、本実施形態に係る現システム２００の無線制御装置２は、携帯端末機１０からの受信品質レベルの通知に基づいて、現システム２００の基地局２０から送信される無線信号の携帯端末機１０における受信品質レベルを管理するように構成されている。
【００６９】
また、かかる無線制御装置２では、携帯端末機１０に対して他システム３００から送信される無線信号の測定を開始させる受信品質レベルとして、測定レベルＱｍが予め設定されている。
【００７０】
また、かかる無線制御装置２では、携帯端末機１０に対して他システム３００へのシステム間ハンドオーバ処理を開始させる受信品質レベルとして、当該測定レベルＱｍよりも低いハンドオーバレベルＱｈｏが予め設定されている。
【００７１】
また、かかる無線制御装置２は、携帯端末機１０から通知される受信品質レベルが、測定レベルＱｍ又はハンドオーバレベルＱｈｏ以下であるか否かを判定するように構成されている。
【００７２】
また、かかる無線制御装置２は、携帯端末機１０における受信品質レベルが測定レベルＱｍ以下になった場合、他システム３００の基地局３０から送信される無線信号の測定を開始させる「他システム測定指示情報」を、基地局２０を介して、携帯端末機１０へ送信するように構成されている。
【００７３】
また、かかる無線制御装置２は、携帯端末機１０における受信品質レベルがハンドオーバレベルＱｈｏ以下になった場合、現システム２００から他システム３００へ無線通信先を切り替えるシステム間ハンドオーバ処理を開始させる「ハンドオーバ指示情報」を、基地局２０を介して、携帯端末機１０へ送信するように構成されている。
【００７４】
また、かかる無線制御装置２は、携帯端末機１０における受信品質レベルがハンドオーバレベルＱｈｏ以下になった場合、他システム３００の無線制御装置３に対して、携帯端末機１０と無線通信を行うことを指示するように構成されている。
【００７５】
また、本実施形態に係る現システム２００の基地局２０及び他システム３００の基地局３０は、携帯端末機１０との間で、無線信号を使用して無線通信を行うように構成されている。
【００７６】
図１は、本実施形態に係る携帯端末機１０の構成を示すブロック図である。図１に示すように、かかる携帯端末機１０は、受信部１１と、測定部１２と、減衰量算出部１３と、変換処理部１４と、送信部１５と、ハンドオーバ処理部１６とを具備している。
【００７７】
かかる携帯端末機１０は、現システム２００の基地局２０及び他システム３００の基地局３０との間で、無線信号により音声等の無線通信を行うように構成されている。
【００７８】
ここで、かかる携帯端末機１０は、上述した無線通信を現システム２００又は他システム３００のいずれか一方とのみ行うことができる。
【００７９】
また、かかる携帯端末機１０は、後述する測定部１２で算出される第１の受信品質レベル又は変換処理部１４で変換される第２の受信品質レベルを、現システム２００へ定期通知方式（例えば、Ｐｅｒｉｏｄｉｃ方式）で通知するように構成されている。
【００８０】
受信部１１は、現システム２００の基地局２０から送信される無線信号と、他システム３００の基地局３０から送信される無線信号と、「他システム測定指示情報」と、「ハンドオーバ指示情報」とを受信するように構成されている。
【００８１】
測定部１２は、一定の期間内に、現システム２００の基地局２０から送信される無線信号の受信品質レベルを所定の周期で測定し、測定した受信品質レベルに基づいて、所定の算出方法で今回測定した第１の受信品質レベルを算出するように構成されている。
【００８２】
具体的には、測定部１２は、内部に時計を具備しており、図２の例に示すように、受信品質レベル測定周期Ｔｘ１で、現システム２００の基地局２０から送信される無線信号の受信品質レベルを測定する。
【００８３】
そして、測定部１２は、一定の受信品質レベル算出期間Ｔｘ２内に、受信品質レベル測定周期Ｔｘ１で測定された受信品質レベルに基づいて、所定の算出方法により、第１の受信品質レベルを測定結果として算出するように構成されている。
【００８４】
ここで、第１の受信品質レベルを算出する算出方法は、受信品質レベル測定周期Ｔｘ１で測定された受信品質レベルＸの総数がｎである場合、下記（１）式に示す相加平均や、下記（２）式に示す相乗平均などでも良い。
【数１】
0004727438.tif 000002
【数２】
0004727438.tif 000003
【００８５】
また、本実施形態では、上述した受信品質レベル測定周期Ｔｘ１は、５０ｍｓであり、受信品質レベル算出期間Ｔｘ２は、５００ｍｓである場合を例に説明する。
【００８６】
なお、測定部１２で測定される受信品質レベルは、無線信号の強度を示すRSSI（RSSI：Received Signal  Strength Indicator）や、希望波受信電力であるRSCP（RSCP：Received Signal Code domain Power）や、希望波受信電力と干渉波受信電力との比であるSIR（SIR：Signal Interference Ratio）などでも良い。
【００８７】
また、測定部１２は、受信部１１において「他システム測定指示情報」が受信された場合、現システム２００の基地局２０から送信される無線信号の第１の受信品質レベルと、他システム３００の基地局３０から送信される無線信号の第１の受信品質レベルとを算出するように構成されている。
【００８８】
ここで、かかる場合、測定部１２は、他システム３００の基地局３０から送信される共通パイロットチャネルの無線信号の第１の受信品質レベルを算出するように構成されている。
【００８９】
なお、測定部１２は、上述した算出を行わず、受信品質レベル測定周期Ｔｘ１で測定した現システム２００及び他システム３００から送信される無線信号の受信品質レベルを、第１の受信品質とするように構成されていても良い。
【００９０】
減衰量算出部１３は、前回算出された前記第１の受信品質レベルと今回算出された前記第１の受信品質レベルとの差に基づいて、減衰量Ｄを算出するように構成されている。
【００９１】
具体的に、減衰量算出部１３は、測定部１２において第１の受信品質レベルが算出される度に、測定部１２で前回算出された第１の受信品質レベル（例えば、−９４ｄＢｍ）と、今回算出された第１の受信品質レベル（例えば、−１００ｄＢｍ）との減衰量Ｄ（例えば、６ｄＢｍ）を算出するように構成されている。
【００９２】
ここで、減衰量算出部１３は、上述する減衰量Ｄを、現システム２００から送信される無線信号の第１の受信品質レベルについてのみ算出し、他システム３００から送信される無線信号の第１の受信品質レベルについては算出しない。
【００９３】
変換処理部１４は、算出した減衰量が所定の条件を満たした場合、今回測定した第１受信品質レベルを、当該第１の受信品質レベルよりも小さい第２の受信品質レベルに変換するように構成されている。
【００９４】
また、変換処理部１４は、第１受信品質レベルから第２の受信品質レベルへの変換を、現システム２００から送信された無線信号の第１受信品質レベルについてのみ行うように構成されている。
【００９５】
具体的に、変換処理部１４の構成について説明する。
【００９６】
変換処理部１４は、予め、変換受信品質レベルＱｓ（例えば、−９０ｄＢｍ）と、変換レベルΔＱ（例えば、１０ｄＢｍ）と、基準減衰量Ｄａ（例えば、５ｄＢｍ）とを記憶するように構成されている。
【００９７】
ここで、変換受信品質レベルＱｓは、現システム２００から送信される無線信号に基づいて、上述した測定部１２で算出される第１の受信品質レベルが、低いレベルであることを判断するための基準となる受信品質レベルである。
【００９８】
また、変換処理部１４は、測定部１２で今回算出された第１の受信品質レベルが、変換受信品質レベルＱｓ（例えば、−９０ｄＢｍ）以下であるか否かを判断するように構成されている。
【００９９】
また、変換処理部１４は、減衰量算出部１３で算出された減衰量Ｄ（例えば、６ｄＢｍ）が、基準減衰量Ｄａ（例えば、５ｄＢｍ）以上であるか否かを判断するように構成されている。
【０１００】
さらに、変換処理部１４は、測定部１２で今回算出された第１の受信品質レベルが、変換受信品質レベルＱｓ以下であり、かつ減衰量算出部１３で算出された減衰量Ｄが、基準減衰量Ｄａ以上である場合、今回算出された第１の受信品質レベル（例えば、−１００ｄＢｍ）から変換レベルΔＱ（例えば、１０ｄＢｍ）を減算し、第１の受信品質レベルを第２の受信品質レベル（例えば、−１１０ｄＢｍ）に変換するように構成されている。
【０１０１】
送信部１５は、測定部１２で算出された第１の受信品質レベルを、基地局２０を介して、無線制御装置２へ通知するように構成されている。
【０１０２】
また、送信部１５は、変換処理部１４で第２の受信品質レベルが変換された場合、第１の受信品質レベルではなく、当該第２の受信品質レベルを、基地局２０を介して、無線制御装置２へ通知するように構成されている。
【０１０３】
また、送信部１５は、受信品質レベル算出期間Ｔｘ２毎に、第１の受信品質レベル又は第２の受信品質レベルを、基地局２０を介して、無線制御装置２へ通知するように構成されている。
【０１０４】
ハンドオーバ処理部１６は、受信部１１において「ハンドオーバ指示情報」が受信された場合、現システム２００の基地局２０から他システム３００の基地局３０へ無線通信先を切り替えるシステム間ハンドオーバ処理を開始するように構成されている。
【０１０５】
（本実施形態に係る携帯端末機の動作）
上記の構成を具備する携帯端末機１０の動作について、図３乃至５を参照して説明する。図３は、本実施形態に係る携帯端末機１０の動作を示すフローチャートである。
【０１０６】
図３のステップＳ１０において、測定部１２は、受信部１１において「他システム測定指示情報」が受信されているか否かを判断する。
【０１０７】
ステップＳ２０において、測定部１２は、受信部１１において「他システム測定指示情報」が受信されていないと判断すると、現システム２００の基地局２０から送信される無線信号の第１の受信品質レベルを算出する。
【０１０８】
ステップＳ３０において、測定部１２は、受信部１１において他システム測定指示情報が受信されていると判断すると、他システム３００の基地局３０から送信される無線信号（共通パイロットチャネル）の第１の受信品質レベルを算出する。
【０１０９】
また、測定部１２は、ステップＳ３０の動作の後、ステップＳ２０の動作を行う。
【０１１０】
ステップＳ４０において、ハンドオーバ処理部１６は、受信部１１において「ハンドオーバ指示情報」が受信されたか否かを判断する。
【０１１１】
ステップＳ５０において、ハンドオーバ処理部１６は、受信部１１において「ハンドオーバ指示情報」が受信されたと判断した場合、現システム２００の基地局２０から他システム３００の基地局３０へ無線通信先を切り替えるシステム間ハンドオーバ処理を開始する。
【０１１２】
また、ハンドオーバ処理部１６は、受信部１１において「ハンドオーバ指示情報」が受信されていないと判断した場合、システム間ハンドオーバ処理を開始しない。
【０１１３】
なお、かかる携帯端末機１０では、上述したステップＳ１０乃至Ｓ５０の動作が、繰り返し行なわれる。
【０１１４】
次に、図４を参照して、本実施形態に係る携帯端末機１０におけるステップＳ２０の動作について具体的に説明する。
【０１１５】
図４のステップＳ２０１において、測定部１２は、現システム２００の基地局２０から送信される無線信号の受信品質レベルを、受信品質レベル測定周期Ｔｘ１（例えば、５０ｍｓ）で測定する。
【０１１６】
そして、測定部１２は、受信品質レベル算出期間Ｔｘ２（例えば、５００ｍｓ）内に、受信品質レベル測定周期Ｔｘ１（例えば、５０ｍｓ）で測定された受信品質レベルに基づいて、所定の算出方法で第１の受信品質レベル（例えば、−１００ｄＢｍ）を算出する。
【０１１７】
ステップＳ２０２において、減衰量算出部１３は、測定部１２で前回算出された第１の受信品質レベル（例えば、−９４ｄＢｍ）と、今回算出された第１の受信品質レベル（例えば、−１００ｄＢｍ）との減衰量Ｄ（例えば、６ｄＢｍ）を算出する。
【０１１８】
ステップＳ２０３において、変換処理部１４は、測定部１２で今回算出された第１の受信品質レベルが、変換受信品質レベルＱｓ（例えば、−９０ｄＢｍ）以下であるか否かを判断する。
【０１１９】
また、変換処理部１４において、測定部１２で今回算出された第１の受信品質レベルが、変換受信品質レベルＱｓ以下であると判断された場合、ステップＳ２０４の動作を行い、変換受信品質レベルＱｓ以下でないと判断された場合、ステップＳ２０６の動作を行う。
【０１２０】
ステップＳ２０４において、変換処理部１４は、減衰量算出部１３で算出された減衰量Ｄ（例えば、６ｄＢｍ）が、基準減衰量Ｄａ（例えば、５ｄＢｍ）以上であるか否かを判断する。
【０１２１】
また、変換処理部１４において、減衰量算出部１３で算出された減衰量Ｄが、基準減衰量Ｄａ以上であると判断された場合、ステップＳ２０５の動作を行い、基準減衰量Ｄａ以上でないと判断された場合、ステップＳ２０６の動作を行う。
【０１２２】
ステップＳ２０５において、変換処理部１４は、今回算出された第１の受信品質レベル（例えば、−１００ｄＢｍ）から変換レベルΔＱ（例えば、１０ｄＢｍ）を減算し、第１の受信品質レベルを第２の受信品質レベル（例えば、−１１０ｄＢｍ）に変換する。
【０１２３】
ステップＳ２０６において、送信部１５は、変換処理部１４で第２の受信品質レベルが変換された場合は、当該第２の受信品質レベルを、基地局２０を介して無線制御装置２へ通知し、変換処理部１４で第２の受信品質レベルが変換されない場合は、測定部１２で今回算出された第１の受信品質レベルを、基地局２０を介して無線制御装置２へ通知する。
【０１２４】
次に、図５を参照して、本実施形態に係る携帯端末機１０におけるステップＳ３０の動作について具体的に説明する。
【０１２５】
図５のステップＳ３０１において、測定部１２は、他システム３００の基地局３０から送信される無線信号（例えば、共通パイロットチャネル）の受信品質レベルを、受信品質レベル測定周期Ｔｘ１（例えば、５０ｍｓ）で測定する。
【０１２６】
そして、測定部１２は、受信品質レベル算出期間Ｔｘ２（例えば、５００ｍｓ）内に、受信品質レベル測定周期Ｔｘ１で測定された受信品質レベルに基づいて、所定の算出方法で第１の受信品質レベルを算出する。
【０１２７】
ステップＳ３０２において、送信部１５は、測定部１２で今回算出された第１の受信品質レベルを、基地局２０を介して無線制御装置２へ通知する。
【０１２８】
次に、具体的に、図６を参照して、携帯端末機１０の受信品質レベルの変化と、システム間ハンドオーバ処理を開始する動作とについて説明する。図６には、携帯端末機１０における第１の受信品質レベルと第２の受信品質レベルの変化が示されている。
【０１２９】
図６に示す受信品質レベルＱ２ｂは、現システム２００から送信された無線信号に基づいて、携帯端末機１０の測定部１２で算出された第１の受信品質レベルである。また、図６に示す受信品質レベルＱ２ｂは、Ｔｄ２の時から一定の減衰量で、急激に低下する例を示している。
【０１３０】
また、受信品質レベルＱ３ａは、他システム３００から送信された無線信号に基づいて、携帯端末機１０の測定部１２で算出された第１の受信品質レベルＱ３ａである。
【０１３１】
また、受信品質レベルＱ２ｃは、現システム２００から送信された無線信号に基づいて、携帯端末機１０の測定部１２で算出されたの第１の受信品質レベルＱ２ｂを、変換処理部１４で変換した第２の受信品質レベルＱ２ｃである。
【０１３２】
また、第１の受信品質レベルＱ２ｂ及び第１の受信品質レベルＱ３ａにおける実線部分では、携帯端末機１０が、現システム２００又は他システム３００との間で無線通信を行っていることを示している。
【０１３３】
また、第１の受信品質レベルＱ３ａにおける点線部分では、携帯端末機１０が、他システム３００から送信される無線信号（例えば、共通パイロットチャネル）の測定を行っていることを示している。
【０１３４】
また、図６に示す最低受信品質レベルＱｌは、携帯端末機１０において、現システム２００との間で無線通信を行うことが可能な最低の受信品質レベルである。
【０１３５】
また、携帯端末機１０の変換処理部１４では、変換受信品質レベルＱｓ（例えば、−９０ｄＢｍ）と、変換レベルΔＱ（例えば、１０ｄＢｍ）と、基準減衰量Ｄａ（例えば、５ｄＢｍ）とが、予め設定されている。
【０１３６】
図６におけるＴ０の時、携帯端末機１０の測定部１２は、基地局２０から送信される無線信号の第１の受信品質レベルＱ２ｂの算出を行い、送信部１５は、当該第１の受信品質レベルＱ２ｂを現システム２００の無線制御装置２へ通知している。
【０１３７】
また、この時、携帯端末機１０は、現システム２００の基地局２０との間で、無線信号を使用して、音声等の無線通信を行っている。
【０１３８】
図６におけるＴａの時、携帯端末機１０の変換処理部１４は、測定部１２で算出される第１の受信品質レベルが、変換受信品質レベルＱｓ（例えば、−９０ｄＢｍ）以下に低下したことを判断する。
【０１３９】
そして、図６におけるＴｄ２の時から、携帯端末機１０の測定部１２で算出される第１の受信品質レベルＱ２ｂが、急激に低下し始める。
【０１４０】
ここで、本実施形態において、Ｔｄ２の時に測定部１２で算出される第１の受信品質レベルＱ２ｂが、例えば、−９４ｄＢｍある場合を例に説明する。また、図６に示すＴｄ２とＴｚとの間の時間は、受信品質算出期間Ｔｘ２（例えば、５００ｍｓ）である場合を例に説明する。
【０１４１】
図６におけるＴｚの時、携帯端末機１０の減衰量算出部１３では、測定部１２で前回測定された第１の受信品質レベルＱ２ｂ（例えば、−９４ｄＢｍ）と、今回測定した第１の受信品質レベルＱ２ｂ（例えば、−１００ｄＢｍ）との減衰量Ｄ（例えば、６ｄＢｍ）が算出される。
【０１４２】
また、この時、携帯端末機１０の変換処理部１４は、減衰量算出部１３で算出された減衰量Ｄ（例えば、６ｄＢｍ）が、基準減衰量Ｄａ（例えば、５ｄＢｍ）以上であることを判断する。
【０１４３】
そして、変換処理部１４は、今回測定した第１の受信品質レベルＱ２ｂ（例えば、−１００ｄＢｍ）から変換レベルΔＱ（例えば、１０ｄＢｍ）を減算し、第１の受信品質レベルＱ２ｂを第２の受信品質レベルＱ２ｃ（例えば、−１１０ｄＢｍ）に変換する。
【０１４４】
また、携帯端末機１０の送信部１５は、変換された第２の受信品質レベルＱ２ｃを、現システム２００の無線制御装置２へ通知する。
【０１４５】
ここで、もしも、減衰量算出部１３で算出される減衰量Ｄが、基準減衰量Ｄａよりも小さい場合、変換処理部１４は、第１の受信品質レベルＱ２ｂを第２の受信品質レベルＱ２ｃに変換しない。よって、かかる場合、送信部１５は、第１の受信品質レベルＱ２ｂを現システム２００の無線制御装置２へ通知する。
【０１４６】
図６におけるＴｍ３の時、携帯端末機１０の送信部１５から、現システム２００の無線制御装置２へ通知される第２の受信品質レベルＱ２ｃが、測定レベルＱｍに低下する。
【０１４７】
当該第２の受信品質レベルＱ２ｃの通知を受けた無線制御装置２は、携帯端末機１０の第２の受信品質レベルＱ２ｃが、測定レベルＱｍ以下になったことを判定する。
【０１４８】
ここで、この時、無線通信に使用されている無線信号の第１の受信品質レベルＱ２ｂは、測定レベルＱｍまで低下していない。
【０１４９】
そして、無線制御装置２は、他システム３００の基地局３０から送信される無線信号の第１の受信品質レベルＱ３ａの測定を開始するように、携帯端末機１０に対して「他システム測定指示情報」を送信する。
【０１５０】
当該他システム測定開始情報を受信した携帯端末機１０は、測定部１２において他システム３００の基地局３０から送信される無線信号（例えば、共通パイロットチャネル）の第１の受信品質レベルＱ３ａの算出を開始する。
【０１５１】
図６におけるＴｈ３の時、携帯端末機１０の送信部１５から、現システム２００の無線制御装置２へ通知される第２の受信品質レベルＱ２ｃが、ハンドオーバレベルＱｈｏに低下する。
【０１５２】
当該第２の受信品質レベルＱ２ｃの通知を受けた無線制御装置２は、携帯端末機１０の第２の受信品質レベルＱ２ｃが、ハンドオーバレベルＱｈｏ以下になったことを判定する。
【０１５３】
ここで、この時、無線通信に使用されている無線信号の第１の受信品質レベルＱ２ｂは、ハンドオーバレベルＱｈｏまで低下していない。
【０１５４】
そして、無線制御装置２は、ネットワーク１を介し、他システム３００の無線制御装置３へ、携帯端末機１０と無線通信を行うように指示する。そして、当該指示を受けた無線制御装置３は、基地局３０に対して、携帯端末機１０と無線通信を行うように指示する。
【０１５５】
また、無線制御装置２は、無線通信先を現システム２００の基地局２０から他システム３００の基地局３０へ切り替えるシステム間ハンドオーバ処理を開始するように、携帯端末機１０に対して「ハンドオーバ指示情報」を送信する。
【０１５６】
当該「ハンドオーバ開始情報」を受信した携帯端末機１０は、システム間ハンドオーバ処理を開始し、図６におけるＴｃ３の時、当該システム間ハンドオーバ処理を完了して、他システム３００の基地局３０と無線通信を開始する。
【０１５７】
（本実施形態に係る携帯端末機の作用・効果）
本実施形態に係る携帯端末機１０によれば、第１の受信品質レベルが急激に低下する場合、現システム２００に対して、第１の受信品質レベルではなく第２の受信品質レベルを通知することができる。
【０１５８】
また、本実施形態に係る携帯端末機１０によれば、図６に示すように、他システム３００から送信される無線信号の測定をΔＴ１だけ早く開始することができ、また、システム間ハンドオーバ処理をΔＴ２だけ早く開始することができるので、システム間ハンドオーバ処理を開始してから、受信品質レベルＱ２ｂが最低受信品質レベルＱｌまで低下する期間ΔＴｈｏを長く確保できる。
【０１５９】
したがって、かかる携帯端末機１０によれば、現システム２００から他システム３００へ無線通信先を切り替えるシステム間ハンドオーバ処理において、処理期間の不足によって音声等の無線通信が遮断されることを低減できる。
【０１６０】
また、上述するように、本発明によれば、現システム２００や他システム３００等の無線通信システムの構成を変更することなく、携帯端末機１０へ本発明の機能を搭載するだけで、システム間ハンドオーバ処理において、処理期間の不足によって無線通信が遮断されることを低減することができる。
【０１６１】
（第１実施形態に係る変更例１）
以下に第１実施形態に係る携帯端末機１０の変更例１の構成について、第１実施形態に係る携帯端末機１０との相違点に着目して説明する。
【０１６２】
本実施形態に係る携帯端末機１０の構成は、変換処理部１４を除いて、第１実施形態に係る携帯端末機１０と同様である。
【０１６３】
よって、以下に、本実施形態に係る変換処理部１４の構成について説明する。
【０１６４】
本実施形態に係る携帯端末機１０の変換処理部１４は、減衰量Ｄの大きさに基づく変換レベルを、今回測定した第１の受信品質レベルから減算することによって、今回測定した第１の受信品質レベルを第２の受信品質レベルに変換するように構成されている。
【０１６５】
具体的には、変換処理部１４では、変換受信品質レベルＱｓ（例えば、−９０ｄＢｍ）と、基準減衰量Ｄａ（例えば、５ｄＢｍ）とが、予め設定されている。
【０１６６】
また、変換処理部１４は、図７の例に示すような減衰量−変換レベルテーブルを具備するように構成されている。
【０１６７】
具体的に、図７のテーブルに示すように、変換処理部１４では、減衰量Ｄ１（例えば、５ｄＢｍ）と、当該減衰量Ｄ１よりも大きい減衰量Ｄ２（例えば、７ｄＢｍ）と、当該減衰量Ｄ２よりも大きい減衰量Ｄ３（例えば、９ｄＢｍ）とが予め設定されている。
【０１６８】
また、変換処理部１４では、図７のテーブルに示すように、減衰量Ｄ１乃至Ｄ３に対応して、変換レベルΔＱ１（例えば、１０ｄＢｍ）と、当該変換レベルΔＱ１よりも大きい変換レベルΔＱ２（例えば、１５ｄＢｍ）とが予め設定されている。
【０１６９】
ここで、上述した基準減衰量Ｄａと、図７のテーブルに示す減衰量Ｄ１とは、同じ値である。
【０１７０】
そして、変換処理部１４は、測定部１２で今回算出された第１の受信品質レベル（例えば−１００ｄＢｍ）が、変換受信品質レベルＱｓ（例えば、−９０ｄＢｍ）以下であり、かつ減衰量算出部１３で算出された減衰量Ｄ（例えば、７ｄＢｍ）が基準減衰量Ｄａ（Ｄ１と同じ値、例えば、５ｄＢｍ）以上である場合、減衰量−変換レベルテーブルを参照し、算出された減衰量Ｄ（例えば、７ｄＢｍ）に対応する変換レベルΔＱ（例えば、１５ｄＢｍ）を選択し、今回算出された前記第１の受信品質レベルから選択した変換レベルΔＱを減算することによって、第２の受信品質レベル（例えば−１１５ｄＢｍ）に変換するように構成されている。
【０１７１】
なお、変換処理部１４では、減衰量Ｄ３よりも大きい減衰量Ｄ４や、減衰量Ｄ４よりも大きい減衰量Ｄ５が、予め設定されていてもよい。また、変換処理部１４では、当該減衰量Ｄ４乃至Ｄ５に対応して、当該変換レベルΔＱ２よりも大きい変換レベルΔＱ３や、当該変換レベルΔＱ３よりも大きい変換レベルΔＱ４が、予め設定されていてもよい。
【０１７２】
本実施形態に係る携帯端末機１０によれば、減衰量算出部１３で算出された減衰量Ｄが大きいほど、受信品質レベルの低い第２の受信品質レベルに変換することができる。
【０１７３】
そして、かかる携帯端末機１０は、現システム２００から送信される無線信号の減衰量Ｄが大きいほど、他システム３００から送信される無線信号の第１の受信品質レベルの測定結果を算出する動作と、システム間ハンドオーバ処理の動作とを、早く開始することができる。
【０１７４】
よって、かかる携帯端末機１０は、現システム２００から送信される無線信号の減衰量Ｄが大きいほど、ハンドオーバ処理を行う期間ΔＴｈｏを長く確保することができるので、現システム２００から他システム３００へ無線通信先を切り替えるシステム間ハンドオーバ処理において、処理期間の不足によって音声等の無線通信が遮断されることを低減できる。
【０１７５】
（本発明の第２実施形態に係る携帯端末機の構成）
本発明の第２実施形態に係る無線通信システム及び携帯端末機１０の構成について、第１実施形態に係る無線通信システム及び携帯端末機１０との相違点に着目して説明する。
【０１７６】
また、第１実施形態と本実施形態との間における最も特徴的な相違点は、第１実施形態に係る無線通信システム及び携帯端末機１０が、定期通知方式（例えば、Ｐｅｒｉｏｄｉｃ方式）で携帯端末機１０における受信品質レベルを現システム２００へ通知するように構成されていたのに対して、本実施形態に係る無線通信システム及び携帯端末機１０では、閾値通知方式（例えば、Ｅｖｅｎｔ  Ｔｒｉｇｇｅｒ方式）で通知するように構成されていることである。
【０１７７】
また、本実施形態に係る現システム２００及び他システム３００の構成は、無線制御装置２を除き、第１実施形態に係る現システム２００及び他システム３００と同様である。
【０１７８】
また、本実施形態に係る携帯端末機１０の構成は、変換処理部１４及び送信部１５を除いて、第１実施形態に係る携帯端末機１０と同様である。
【０１７９】
よって、以下に、本実施形態に係る無線制御装置２と変換処理部１４と送信部１５との構成について説明する。
【０１８０】
まず、本実施形態に係る現システム２００の無線制御装置２の構成について説明する。
【０１８１】
かかる無線制御装置２は、携帯端末機１０と無線通信を開始した際、携帯端末機１０に対して、測定レベルＱｍとハンドオーバレベルＱｈｏとを通知するように構成されている。
【０１８２】
上述した測定レベルＱｍは、携帯端末機１０に対して他システム３００から送信される無線信号（共通パイロットチャネル）の測定を開始させる受信品質レベルである。
【０１８３】
また、上述したハンドオーバレベルＱｈｏは、携帯端末機１０に対して他システム３００へのシステム間ハンドオーバ処理を開始させる受信品質レベルである。
【０１８４】
また、無線制御装置２は、後述する「測定レベル低下情報」を携帯端末機１０から受信した場合、他システム３００の基地局３０から送信される無線信号の測定を開始させる「他システム測定指示情報」を、基地局２０を介して、携帯端末機１０へ送信するように構成されている。
【０１８５】
また、かかる無線制御装置２は、後述する「ハンドオーバレベル低下情報」を携帯端末機１０から受信した場合、現システム２００から他システム３００へ無線通信先を切り替えるシステム間ハンドオーバ処理を開始させる「ハンドオーバ指示情報」を、基地局２０を介して、携帯端末機１０へ送信するように構成されている。
【０１８６】
次に、本実施形態に係る携帯端末機１０の変換処理部１４の構成について説明する。
【０１８７】
かかる変換処理部１４は、携帯端末機１０が無線通信を開始した際に無線制御装置２から通知される測定レベルＱｍとハンドオーバレベルＱｈｏとを記憶するように構成されている。
【０１８８】
また、変換処理部１４では、変換受信品質レベルＱｓと、変換レベルΔＱと、基準減衰量Ｄａとが、予め設定されている。
【０１８９】
また、変換処理部１４は、測定部１２で今回算出された第１の受信品質レベルが、変換受信品質レベルＱｓ以下であるか否かを判断するように構成されている。
【０１９０】
また、変換処理部１４は、減衰量算出部１３で算出された減衰量Ｄが、基準減衰量Ｄａ以上であるか否かを判断するように構成されている。
【０１９１】
また、変換処理部１４は、測定部１２で今回算出された第１の受信品質レベルが、変換受信品質レベルＱｓ以下であり、かつ減衰量算出部１３で算出された減衰量Ｄが、基準減衰量Ｄａ以上である場合、今回算出された第１の受信品質レベルから変換レベルΔＱを減算し、第１の受信品質レベルを第２の受信品質レベルに変換するように構成されている。
【０１９２】
また、変換処理部１４は、第１受信品質レベルから第２の受信品質レベルへの変換を、現システム２００から送信された無線信号の第１受信品質レベルについてのみ行うように構成されている。
【０１９３】
また、変換処理部１４は、測定部１２で算出された第１の受信品質レベル又は変換した第２の受信品質レベルが、特定の受信品質レベル以下に低下した時、第１の受信品質レベル又は第２の受信品質レベルが特定の受信品質レベル以下になったことを、後述する送信部１５を介して、現システム２００の無線制御装置２へ通知するように構成されている。
【０１９４】
具体的に、変換処理部１４は、前回算出された第１の受信品質レベルと比べ、今回算出された第１の受信品質レベル又は変換した第２の受信品質レベルが、測定レベルＱｍ以下に低下したか否かを判断するように構成されている。
【０１９５】
また、変換処理部１４は、前回算出された第１の受信品質レベルを第２の受信品質に変換した場合、当該第２の受信品質と比べ、今回算出された第１の受信品質レベル又は変換した第２の受信品質レベルが、測定レベルＱｍ以下に低下したか否かを判断するように構成されている。
【０１９６】
また、変換処理部１４は、今回算出された第１の受信品質レベル又は変換した第２の受信品質レベルが、測定レベルＱｍ以下に低下したと判断した場合、「測定レベル低下情報」を生成するように構成されている。
【０１９７】
なお、変換処理部１４は、測定レベルＱｍ以下に低下していないと判断した場合は、「測定レベル低下情報」を生成しない。
【０１９８】
ここで、上述する「測定レベル低下情報」には、今回算出された第１の受信品質レベル又は変換した第２の受信品質レベルが、記憶する測定レベルＱｍ以下に低下したことを、無線制御装置２へ通知する情報が含まれている。
【０１９９】
なお、上述する「測定レベル低下情報」には、今回算出された第１の受信品質レベル又は変換した第２の受信品質レベルが含まれていてもよい。
【０２００】
また、変換処理部１４は、前回算出された第１の受信品質レベルと比べ、今回算出された第１の受信品質レベル又は変換した第２の受信品質レベルが、ハンドオーバレベルＱｈｏ以下に低下したか否かを判断するように構成されている。
【０２０１】
また、変換処理部１４は、前回算出された第１の受信品質レベルを第２の受信品質に変換した場合、当該第２の受信品質と比べ、今回算出された第１の受信品質レベル又は変換した第２の受信品質レベルが、ハンドオーバレベルＱｈｏ以下に低下したか否かを判断するように構成されている。
【０２０２】
また、変換処理部１４は、今回算出された第１の受信品質レベル又は変換した第２の受信品質レベルが、ハンドオーバレベルＱｈｏ以下に低下したと判断した場合、「ハンドオーバレベル低下情報」を生成するように構成されている。
【０２０３】
なお、変換処理部１４は、第２の受信品質レベルが、ハンドオーバレベルＱｈｏ以下に低下していないと判断した場合、「ハンドオーバレベル低下情報」を生成しない。
【０２０４】
ここで、上述する「ハンドオーバレベル低下情報」には、今回算出された第１の受信品質レベル又は変換した第２の受信品質レベルが、記憶するハンドオーバレベルＱｈｏ以下に低下したことを、無線制御装置２へ通知する情報が含まれている。
【０２０５】
また、上述する「ハンドオーバレベル低下情報」には、今回算出された第１の受信品質レベル又は変換した第２の受信品質レベルが含まれていてもよい。
【０２０６】
送信部１５は、変換処理部１４において、上述する「測定レベル低下情報」又は「ハンドオーバレベル低下情報」が生成された場合のみ、当該「測定レベル低下情報」又は「ハンドオーバレベル低下情報」を、基地局２０を介して、無線制御装置２へ送信するように構成されている。
【０２０７】
（本実施形態に係る携帯端末機の動作）
上記の構成を具備する携帯端末機１０の動作について、第１実施形態に係る携帯端末機１０との相違点に着目して説明する。
【０２０８】
本実施形態に係る無線通信システム及び携帯端末機１０の動作は、図３に示すステップＳ２０の動作を除き、第１実施形態に係る無線通信システムと同様である。
【０２０９】
よって、本実施形態に係る携帯端末機１０におけるステップＳ２０の動作について、図８を参照して具体的に説明する。
【０２１０】
図８のステップＳ２１１において、携帯端末機１０の変換処理部１４は、無線制御装置２と無線通信を開始した際に、無線制御装置２から通知される測定レベルＱｍとハンドオーバレベルＱｈｏとを記憶する。
【０２１１】
ステップＳ２１２において、測定部１２は、現システム２００の基地局２０から送信される無線信号の受信品質レベルを、受信品質レベル測定周期Ｔｘ１で測定する。
【０２１２】
そして、測定部１２は、受信品質レベル算出期間Ｔｘ２内に、受信品質レベル測定周期Ｔｘ１で測定された受信品質レベルに基づいて、所定の算出方法で第１の受信品質レベルを算出する。
【０２１３】
ステップＳ２１３において、減衰量算出部１３は、測定部１２で前回算出された第１の受信品質レベルと、今回算出された第１の受信品質レベルとの減衰量Ｄを算出する。
【０２１４】
ステップＳ２１４において、変換処理部１４は、測定部１２で今回算出された第１の受信品質レベルが、変換受信品質レベルＱｓ以下であるか否かを判断する。
【０２１５】
また、変換処理部１４において、測定部１２で今回算出された第１の受信品質レベルが、変換受信品質レベルＱｓ以下であると判断された場合、ステップＳ２１５の動作を行い、変換受信品質レベルＱｓ以下でないと判断された場合、ステップＳ２１７の動作を行う。
【０２１６】
ステップＳ２１５において、変換処理部１４は、減衰量算出部１３で算出された減衰量Ｄが、基準減衰量Ｄａ以上であるか否かを判断する。
【０２１７】
また、変換処理部１４において、減衰量算出部１３で算出された減衰量Ｄが、基準減衰量Ｄａ以上であると判断された場合、ステップＳ２１６の動作を行い、基準減衰量Ｄａ以上でないと判断された場合、ステップＳ２１７の動作を行う。
【０２１８】
ステップＳ２１６において、変換処理部１４は、今回算出された第１の受信品質レベルから変換レベルΔＱを減算し、第１の受信品質レベルを第２の受信品質レベルに変換する。
【０２１９】
ステップＳ２１７において、変換処理部１４は、前回算出された第１の受信品質レベルと比べ、今回算出された第１の受信品質レベル又は変換した第２の受信品質レベルが、測定レベルＱｍ又はハンドオーバレベルＱｈｏ以下に低下したか否かを判断する。
【０２２０】
また、変換処理部１４は、前回算出された第１の受信品質レベルを第２の受信品質に変換している場合、当該第２の受信品質と比べ、今回算出された第１の受信品質レベル又は変換した第２の受信品質レベルが、測定レベルＱｍ又はハンドオーバレベルＱｈｏ以下に低下したか否かを判断する。
【０２２１】
また、変換処理部１４は、今回算出された第１の受信品質レベル又は変換した第２の受信品質レベルが、測定レベルＱｍ又はハンドオーバレベルＱｈｏ以下に低下したと判断した場合は、ステップＳ２１８の動作を行い、測定レベルＱｍ又はハンドオーバレベルＱｈｏ以下に低下していないと判断した場合は、ステップＳ２１２の動作を行う。
【０２２２】
ステップＳ２１８において、変換処理部１４は、ステップＳ２１７で今回算出された第１の受信品質レベル又は変換した第２の受信品質レベルが、測定レベルＱｍ以下に低下した場合、「測定レベル低下情報」を生成する。
【０２２３】
また、変換処理部１４は、ステップＳ２１７で今回算出された第１の受信品質レベル又は変換した第２の受信品質レベルが、記憶するハンドオーバレベルＱｈｏ以下に低下したと判断した場合、「ハンドオーバレベル低下情報」を生成する。
【０２２４】
ステップＳ２１９において、送信部１５は、変換処理部１４において、上述する「測定レベル低下情報」又は「ハンドオーバレベル低下情報」が生成された場合のみ、当該「測定レベル低下情報」又は「ハンドオーバレベル低下情報」を、基地局２０を介して、無線制御装置２へ送信する。
【０２２５】
（本実施形態に係る携帯端末機の作用・効果）
本実施形態に係る携帯端末機１０によれば、第１の受信品質レベルが急激に低下する場合、変換した第２の受信品質レベルが、第１の受信品質レベルよりも早く測定レベルＱｍ又はハンドオーバレベルＱｈｏ以下に低下するので、「測定レベル低下情報」又は「ハンドオーバレベル低下情報」を、現システム２００に対して早く通知することができる。
【０２２６】
そして、かかる携帯端末機１０によれば、他システム３００から送信される無線信号の測定と、システム間ハンドオーバ処理とを、早く開始することができ、システム間ハンドオーバ処理を開始してから、受信品質レベルＱ２ｂが最低受信品質レベルＱｌまで低下する期間ΔＴｈｏを長く確保できる。
【０２２７】
したがって、かかる携帯端末機１０によれば、現システム２００から他システム３００へ無線通信先を切り替えるシステム間ハンドオーバ処理において、処理期間の不足によって音声等の無線通信が遮断されることを低減できる。
【０２２８】
（第２実施形態に係る変更例１）
以下に第２実施形態に係る携帯端末機１０の変更例１の構成について、第２実施形態に係る携帯端末機１０との相違点に着目して説明する。本実施形態に係る携帯端末機１０の構成は、変換処理部１４を除いて、第２実施形態に係る携帯端末機１０と同様である。よって、以下に、本実施形態に係る変換処理部１４の構成について説明する。
【０２２９】
本実施形態に係る携帯端末機１０の変換処理部１４は、無線制御装置２と無線通信を開始した際に通知される測定レベルＱｍとハンドオーバレベルＱｈｏとを、記憶するように構成されている。
【０２３０】
また、変換処理部１４では、変換受信品質レベルＱｓと、基準減衰量Ｄａとが、予め設定されている。
【０２３１】
また、変換処理部１４は、測定部１２で今回算出された第１の受信品質レベルが、変換受信品質レベルＱｓ以下であるか否かを判断するように構成されている。
【０２３２】
また、変換処理部１４は、減衰量算出部１３で算出された減衰量Ｄが、基準減衰量Ｄａ以上であるか否かを判断するように構成されている。
【０２３３】
また、本実施形態に係る携帯端末機１０の変換処理部１４は、減衰量Ｄの大きさに基づく変換レベルを、今回測定した第１の受信品質レベルから減算することによって、今回測定した第１の受信品質レベルを第２の受信品質レベルに変換するように構成されている。
【０２３４】
また、変換処理部１４は、図７の例に示すような減衰量−変換レベルテーブルを具備するように構成されている。
【０２３５】
具体的に、図７のテーブルに示すように、変換処理部１４では、減衰量Ｄ１と、当該減衰量Ｄ１よりも大きい減衰量Ｄ２と、当該減衰量Ｄ２よりも大きい減衰量Ｄ３とが予め設定されている。
【０２３６】
また、変換処理部１４では、図７のテーブルに示すように、減衰量Ｄ１乃至３に対応して、変換レベルΔＱ１と、当該変換レベルΔＱ１よりも大きい変換レベルΔＱ２とが予め設定されている。
【０２３７】
ここで、上述した基準減衰量Ｄａと、図７のテーブルに示す減衰量Ｄ１とは、同じ値である。
【０２３８】
そして、変換処理部１４は、測定部１２で今回算出された第１の受信品質レベルが、変換受信品質レベルＱｓ以下であり、かつ減衰量算出部１３で算出された減衰量Ｄが基準減衰量Ｄａ（Ｄ１）以上である場合、減衰量−変換レベルテーブルを参照し、算出された減衰量Ｄ１乃至Ｄ３に対応する変換レベルΔＱを選択し、今回算出された前記第１の受信品質レベルから選択した変換レベルを減算することによって、第２の受信品質レベルに変換するように構成されている。
【０２３９】
なお、変換処理部１４では、減衰量Ｄ３よりも大きい減衰量Ｄ４や、減衰量Ｄ４よりも大きい減衰量Ｄ５が、予め設定されていてもよい。また、変換処理部１４では、当該減衰量Ｄ４乃至Ｄ５に対応して、当該変換レベルΔＱ２よりも大きい変換レベルΔＱ３や、当該変換レベルΔＱ３よりも大きい変換レベルΔＱ４が、予め設定されていてもよい。
【０２４０】
また、変換処理部１４は、第１受信品質レベルから第２の受信品質レベルへの変換を、現システム２００から送信された無線信号の第１受信品質レベルについてのみ行うように構成されている。
【０２４１】
また、変換処理部１４は、測定部１２で算出された第１の受信品質レベル又は変換した第２の受信品質レベルが、特定の受信品質レベル以下に低下した時、第１の受信品質レベル又は第２の受信品質レベルが特定の受信品質レベル以下になったことを現システム２００の無線制御装置２へ通知するように構成されている。
【０２４２】
ここで、上述した特定の受信品質レベルは、測定レベルＱｍとハンドオーバレベルＱｈｏとを示している。
【０２４３】
具体的に、変換処理部１４は、前回算出された第１の受信品質レベルと比べ、今回算出された第１の受信品質レベル又は変換した第２の受信品質レベルが、測定レベルＱｍ以下に低下したか否かを判断するように構成されている。
【０２４４】
また、変換処理部１４は、前回算出された第１の受信品質レベルを第２の受信品質に変換した場合、当該第２の受信品質と比べ、今回算出された第１の受信品質レベル又は変換した第２の受信品質レベルが、測定レベルＱｍ以下に低下したか否かを判断するように構成されている。
【０２４５】
また、変換処理部１４は、今回算出された第１の受信品質レベル又は変換した第２の受信品質レベルが、測定レベルＱｍ以下に低下したと判断した場合、「測定レベル低下情報」を生成するように構成されている。
【０２４６】
なお、変換処理部１４は、測定レベルＱｍ以下に低下していないと判断した場合は、「測定レベル低下情報」を生成しない。
【０２４７】
ここで、上述する「測定レベル低下情報」には、今回算出された第１の受信品質レベル又は変換した第２の受信品質レベルが、記憶する測定レベルＱｍ以下に低下したことを、無線制御装置２へ通知する情報が含まれている。
【０２４８】
なお、上述する「測定レベル低下情報」には、今回算出された第１の受信品質レベル又は変換した第２の受信品質レベルが含まれていてもよい。
【０２４９】
また、変換処理部１４は、前回算出された第１の受信品質レベルと比べ、今回算出された第１の受信品質レベル又は変換した第２の受信品質レベルが、ハンドオーバレベルＱｈｏ以下に低下したか否かを判断するように構成されている。
【０２５０】
また、変換処理部１４は、前回算出された第１の受信品質レベルを第２の受信品質に変換した場合、当該第２の受信品質と比べ、今回算出された第１の受信品質レベル又は変換した第２の受信品質レベルが、ハンドオーバレベルＱｈｏ以下に低下したか否かを判断するように構成されている。
【０２５１】
また、変換処理部１４は、今回算出された第１の受信品質レベル又は変換した第２の受信品質レベルが、ハンドオーバレベルＱｈｏ以下に低下したと判断した場合、「ハンドオーバレベル低下情報」を生成するように構成されている。
【０２５２】
なお、変換処理部１４は、第２の受信品質レベルが、ハンドオーバレベルＱｈｏ以下に低下していないと判断した場合、「ハンドオーバレベル低下情報」を生成しない。
【０２５３】
ここで、上述する「ハンドオーバレベル低下情報」には、今回算出された第１の受信品質レベル又は変換した第２の受信品質レベルが、記憶するハンドオーバレベルＱｈｏ以下に低下したことを、無線制御装置２へ通知する情報が含まれている。
【０２５４】
また、上述する「ハンドオーバレベル低下情報」には、今回算出された第１の受信品質レベル又は変換した第２の受信品質レベルが含まれていてもよい。
【０２５５】
本実施形態に係る携帯端末機１０によれば、減衰量算出部１３で算出された減衰量Ｄが大きいほど、受信品質レベルの低い第２の受信品質レベルに変換することができる。
【０２５６】
そして、かかる携帯端末機１０は、現システム２００から送信される無線信号の減衰量Ｄが大きいほど、「測定レベル低下情報」又は「ハンドオーバレベル低下情報」を、現システム２００に対して早く通知することができる。
【０２５７】
そして、かかる携帯端末機１０によれば、他システム３００から送信される無線信号の測定と、システム間ハンドオーバ処理を、早く開始することができ、ハンドオーバ処理を行う期間ΔＴｈｏを長く確保することができるので、現システム２００から他システム３００へ無線通信先を切り替えるシステム間ハンドオーバ処理において、処理期間の不足によって音声等の無線通信が遮断されることを低減できる。
【図面の簡単な説明】
【０２５８】
【図１】本発明の第１実施形態に係る携帯端末機１０の構成を示すブロック図である。
【図２】本発明の第１実施形態に係る携帯端末機１０における受信品質測定周期Ｔｘ１と受信品質算出期間Ｔｘ２を示す図である。
【図３】本発明の第１実施形態に係る携帯端末機１０における第１実施形態の動作を示すフローチャートである。
【図４】本発明の第１実施形態に係る携帯端末機１０における動作を示すフローチャートである。
【図５】本発明の第１実施形態に係る携帯端末機１０における動作を示すフローチャートである。
【図６】本発明の第１実施形態に係る携帯端末機１０における第１の受信品質レベルＱ２ｂと第２の受信品質レベルＱ２ｃと第１の受信品質レベルＱ３ａを示すグラフである。
【図７】第１実施形態の変更例１に係る携帯端末機１０の変換処理部１４における減衰量−変換レベルを示すテーブルである。
【図８】本発明の第２実施形態に係る携帯端末機１０における第２実施形態の動作を示すフローチャートである。
【図９】本実施形態に係る携帯端末機１０と、無線通信システム（現システム２００及び他システム３００）との無線通信を示すイメージ図である。
【図１０】従来技術の携帯端末機１０における受信品質レベルＱ２ａと受信品質レベルＱ３ａを示すグラフである。
【図１１】従来技術の携帯端末機１０における受信品質レベルＱ２ｂと受信品質レベルＱ３ａを示すグラフである。
【符号の説明】
【０２５９】
１０…携帯端末機、１１…受信部、１２…測定部、１３…減衰量算出部、１４…変換処理部、１５…送信部、１６…ハンドオーバ処理部、２０…基地局、３０…基地局、２００…現システム、３００…他システム、３…無線制御装置、２…無線制御装置、１…ネットワーク、ΔＴｈｏ…ハンドオーバ処理期間、ΔＴｈｏ…期間、Ａ…地点、Ｂ…地点、Ｃ…地点、Ｄ…減衰量、Ｄａ…基準減衰量、Ｄ１乃至３…減衰量、Ｑ２ａ…受信品質レベル、Ｑ２ｂ…第１の受信品質レベル、Ｑ２ｃ…第２の受信品質レベル、Ｑ３ａ…受信品質レベル、Ｑｈｏ…ハンドオーバレベル、Ｑｌ…最低受信品質レベル、Ｑｍ…測定レベル、Ｑｓ…変換受信品質レベル、Ｓ１０…ステップ、Ｓ２０…ステップ、Ｓ３０…ステップ、Ｓ４０…ステップ、Ｓ５０…ステップ、Ｓ２０１…ステップ、Ｓ２０２…ステップ、Ｓ２０３…ステップ、Ｓ２０４…ステップ、Ｓ２０５…ステップ、Ｓ２０６…ステップ、Ｓ２１１…ステップ、Ｓ２１２…ステップ、Ｓ２１３…ステップ、Ｓ２１４…ステップ、Ｓ２１５…ステップ、Ｓ２１６…ステップ、Ｓ２１７…ステップ、Ｓ２１８…ステップ、Ｓ２１９…ステップ、Ｔｈｏ…期間、Ｘ…受信品質レベルの総数、ΔＱ…変換レベル、ΔＱ１乃至ΔＱ２…変換レベル、期間…ΔＴ１、期間…ΔＴ２、時間…Ｔｃ１、時間…Ｔｈ１、時間…Ｔｍ１、時間…Ｔｘ１、時間…Ｔｄ２、時間…Ｔｈ２、時間…Ｔｌ２、時間…Ｔｍ２、時間…Ｔｘ２、時間…Ｔｃ３、時間…Ｔｈ３、時間…Ｔｍ３
【図１】
0004727438.tif 000004
【図２】
0004727438.tif 000005
【図３】
0004727438.tif 000006
【図４】
0004727438.tif 000007
【図５】
0004727438.tif 000008
【図６】
0004727438.tif 000009
【図７】
0004727438.tif 000010
【図８】
0004727438.tif 000011
【図９】
0004727438.tif 000012
【図１０】
0004727438.tif 000013
【図１１】
0004727438.tif 000014